(57)【特許請求の範囲】
【請求項１】
バイオリズムのリズムデータを知りたい人の誕生日時点よりリズムデータを取得する日までの誕生日以後の総日数を算出する総日数算出ステップと前記総日数算出ステップで算出した総日数をバイオリズムの３つのリズムの理論周期日数で除する総日数除算ステップと前記総日数除算ステップで算出した数値の整数部を表示ステップで当該箇所に表示する。数値の純小数部の小数点以下第３位を四捨五入して、小数点以下第２位の数値として、１００を乗じて整数化して指数として表示ステップで当該箇所に表示する。前述の各ステップと指数算出ステップで構成されるバイオリズムの３つのリズムデータを算出して表示する方法。
【発明の詳細な説明】
【技術分野】
【０００１】  生体の生命活動において生じている諸種の周期的リズム変動の中で、１、体調（Ｐ）のリズム、２、感情（Ｓ）のリズム、３、知性（Ｉ）のリズム、このバイオリズムの３つのリズムデータを時計、及び、時計関連機器、その他バイオリズム関連機器等の機器内に組み込まれているコンピューター機構に於いて演算算出処理を行い指数数値化して、表示部を経て、デジタル表示、アナログ表現画像表示、電子的機械メカニズム駆動による運針アナログ表示することに関するものである。
【背景技術】
【０００２】  生体の生命活動において生じている諸種の周期的リズム変動の中で、１、体調（Ｐ）のリズム、２、感情（Ｓ）のリズム、３、知性（Ｉ）のリズム、このバイオリズムの３つのリズムの理論周期日数は、体調（Ｐ）に関するリズム周期日数が２３日、感情（Ｓ）に関するリズム周期日数が２８日、知性（Ｉ）に関するリズム周期日数が３３日である。これらのリズム周期日数は、いずれも人間の誕生日時を基点にして、日及び時間経過に連動して変動している。（第９図参照）
このバイオリズムの３つのリズムは、誕生日時を０軸として座標の基準軸に設定し、上部をプラス領域、下部をマイナス領域として、その周期日数に基づき、正弦波の曲線を描き、日付設定を横軸として、正弦波曲線との交点の位置が存在する領域を視認し、リズムの状態を認知判断していた。プラス領域にあるときはリズム状態が高調期、マイナス領域にあるときはリズム状態が低調期、０軸線及び０軸線至近領域にあるときはリズム状態が変調期として、身体の体調、感情、知性のバイオリズムのリズム状態の判断情報として利用している。
背景の技術としては、このバイオリズムのリズムデータを表示するについて、情報入用者の誕生日に基づき、リズムデータ情報を知りたい日までの誕生以後総日数をコンピューター、または、他の手段で算出し、知りたい日の前後１ヶ月ぐらいの期間を定めて、コンピューター処理、若しくは機械的に、または、手書きにて、グラフやチャートにバイオリズムのリズムの正弦波曲線を描き表示したうえで、バイオリズムのリズム情報を得て認知判断している。
【発明の開示】
【発明が解決しようとする課題】
【０００３】  バイオリズムの体調（Ｐ）、感情（Ｓ）、知性（Ｉ）の３つのリズムデータを機器内に組み込まれているコンピューターの機能を作動させて演算し、指数化する。そのリズムデータの指数数値を腕時計、置時計、携帯電話、その他の関連機器にデジタル表示、アナログ表現画像表示、運針アナログ表示を、コンピューターの機能を動作させて行うことである。
バイオリズムの体調（Ｐ）、感情（Ｓ）、知性（Ｉ）の各リズムデータを指数化することにより、これらの課題を解決する。
【課題を解決するための手段】
【０００４】  バイオリズムの体調（Ｐ）、感情（Ｓ）、知性（Ｉ）の３つのリズムデータの指数数値を得るための演算算出の順序（第１図参照）は、バイオリズムのリズムデータを知りたい人の誕生日時点より、リズムデータ取得日までの誕生日以後の総日数（誕生日を第１日として算入）求め、その数値を３つの各リズムの理論周期日数数値（体調（Ｐ）が２３日、感情（Ｓ）が２８日、知性（Ｉ）が３３日）で除して求める。その求める数値は、小数点以下第３位までの帯小数である。この帯小数を整数部と純少数部に分離し、２個の数値として取り扱い処理をする。整数部は各リズムの誕生以後総日数内のサイクル数である。純少数部は、コンピューターの機能を作動させて演算し、指数化する。指数化への演算算出は、小数点以下第３位までの数値の四捨五入を行い、小数点以下第２位までの数値とする。その数値に１００を乗じて、整数化した数値とする。この数値がリズムデータ取得日の各リズムデータの指数数値である。
この演算算出で求めた指数数値をバイオリズムのリズムデータとして、コンピューターの表示機能を経て定めた表示箇所に、１、デジタル表示する。２、アナログ表現画像を表示画面に表示する。３、電子的機械メカニズムを駆動して、運針によりアナログ表示する。デジタル表示の数値（第２図参照）。アナログ表現画像の表示ポイントの存在領域（第３図参照）。電子的機械メカニズム駆動によるアナログ表示する文字盤の運針の指示するポイントの領域（第４図参照）。でもって、バイオリズムの各リズムの高調期、低調期、変調期をバイオリズム情報として認知判断して利用する。
【発明の効果】
【０００５】  バイオリズムの体調（Ｐ）、感情（Ｓ）、知性（Ｉ）の３つのリズムデータをコンピューターの諸機能を作動させて、指数化し、表示する、このシステムを腕時計、置時計、及び、バイオリズム関連の諸機器に採用して、便利な機器を造ることである。【０００６】  現今、バイオリズム情報を日常生活の危機管理に使用するためにバイオリズムのリズム状態をタイミング良く知ることが、強く要請されるようになってきたことである。
このバイオリズムのリズム状態が、高齢者及び活動が活発な子供たちの幼児期に、リズム状態の影響が顕著に出ることである。また、交通事故の発生にも関係があるといわれている。高齢者になって、バイオリズムのリズム状態の変調期に注意が行き届かずに、つまづきやすい、転びやすいといった状況が発生する。また、子供たちの幼児期における怪我や小事故等もバイオリズムの変調期に注意の行き届かなさが原因であるとも考えられている。運動時においてもバイオリズムのリズム状態の影響が結果を左右するとも言われている。日常生活において、バイオリズムのリズム状態を知って、高調期、低調期を過ごし、特に周期中、１サイクル内に２度ある変調期に発生しやすい注意力、情動、思考力、洞察力の変調に対して、充分に危機管理を行い、細心の注意を促し、良い結果に結び付けていくことである。それには、バイオリズムのリズム状態をタイムリーに知るために、常にバイオリズムのリズム状態を認知できる機器を身に着けていることが大切である。
この表示システムが腕に装着して、携帯できる小型機器に、また、１個の機器に複数個のバイオリズムのリズムデータを表示して、各個を一覧できるように配置した機器として、（第６図参照）、家族やグループ、スポーツチームのバイオリズム管理にと、多くの生活場面で使用される。
【発明の実施するための形態】
【０００７】  バイオリズムのリズムデータの演算算出、制御、表示等は、機器内のコンピューターの機構の時計機構の時間情報に連動して、機能し、作動している。バイオリズムのリズムデータの演算算出、記憶、制御、表示の機能部位に於いて、誕生日以降の誕生以後総日数が累積数として日々入力加算され、日毎に更新されていく、その数値がバイオリズムのリズムデータの算出の基礎数値となる。コンピューターの演算算出（第１図参照）は、基礎数値である誕生日以後総日数（誕生日を第１日として算入する。）を、バイオリズムの３つの各リズムの理論周期日数数値（体調（Ｐ）が２３日、感情（Ｓ）が２８日、知性（Ｉ）が３３日）で除して求める。その求める数値は、小数点以下第３位までの帯小数である。この帯小数を整数部と純小数部に分離し、２個の数値として取り扱い処理をする。整数部は各リズムの誕生以後総日数内のサイクル数である。純小数部は、コンピューターの機能を作動させて指数化する。指数化への演算算出は、小数点以下第３位までの数値の四捨五入を行い、小数点以下第２位までの数値とする。その数値に１００を乗じて、整数化した数値とする。この数値がリズムデータを取得しようとする日の各リズムデータの指数数値である。コンピューターの機能を作動させて演算算出されたリズムデータの指数数値は、制御、表示され、バイオリズム関連機器として機能を発揮するものである。
【０００８】  演算の算出処理をＡ君の例で、次に例示する。Ａ君は、２７歳の青年である。誕生以後総日数は、１００００日である。バイオリズムの各リズムデータの算式と経過期間内のサイクル数とリズムデータ指数数値は、次の通りである。
体調（Ｐ）のリズムデータ  １００００日÷２３日（理論周期日数）＝４３４．７８２この帯小数を整数部と純少数部に分離して、整数部である［４３４］は、誕生以後総日数１００００日の期間内サイクル数が４３４回である。純少数部は演算算出を行い指数数値化する。０．７８２を四捨五入し、小数点以下第２位までの数値として指数化する。
０．７８×１００＝７８  この数値［７８］が体調（Ｐ）のリズムデータ指数数値である。
感情（Ｓ）のリズムデータ  １００００日÷２８日（理論周期日数）＝３５７．１４２この帯小数を整数部と純少数部に分離して、整数部である［３５７］は、誕生以後総日数１００００日の期間内サイクル数が３５７回である。純少数部は演算算出を行い指数数値化する。０．１４２を四捨五入し、小数点以下第２位までの数値として指数化する。
０．１４×１００＝１４  この数値［１４］が感情（Ｓ）のリズムデータ指数数値である。
知性（Ｉ）のリズムデータ  １００００日÷３３日（理論周期日数）＝３０３．０３０この帯小数を整数部と純少数部に分離して、整数部である［３０３］は、誕生以後総日数１００００日の期間内サイクル数が３０３回である。純少数部は演算算出を行い指数数値化する。０．０３０を四捨五入し、小数点以下第２位までの数値として指数化する。
０．０３×１００＝０３  この数値［３］が知性（Ｉ）のリズムデータ指数数値である。
演算算出で得たリズムデータの指数数値は表示部を経て、定められた当該表示箇所に表示する。
【０００９】  バイオリズムの３つのリズムデータの演算算出、制御、表示は表示機器に内蔵しているコンピューターの時計機構の作動動作に連動して作動動作している。バイオリズムのリズムデータの演算算出、記憶、制御、表示機能部において誕生日以後総日数が累積数として日々入力加算され、日毎に更新されて記憶され、誕生日以後総日数算出ステップとして機能する。前記誕生日以後、総日数算出ステップで算出した総日数数値がバイオリズムのリズムデータの算出基礎数値である。次のステップはコンピューターの演算算出（第１図参照）は、誕生日以後総日数（誕生日を第１日として算入）、この総日数数値をバイオリズムの３つのリズムの理論周期日数（体調が２３日、感情が２８日、知性が３３日）で除する総日数除算ステップである。総日数除算ステップで算出した各数値を小数点以下第３位までの帯小数数値とする。この帯小数数値を整数部と純小数部に分離して２個の数値として取り扱う。総日数除算ステップで算出した整数は、３つの各リズムの誕生日以後の総日数内のサイクル数であり、リズムデータ表示機器の内臓コンピューターの表示機能の作動動作により表示ステップで当該表示箇所に表示する。総日数除算ステップで算出した各リズムの小数点以下第３位までの純小数を指数算出ステップで四捨五入処理をして小数点以下第２位の数値として１００を乗じて整数化してリズムデータ取得日の３つの各リズムデータ指数として、リズムデータ表示機器の内臓コンピューターの表示機能部の作動動作により表示ステップで機器の当該表示箇所に表示する。これによりバイオリズムのリズムデータ表示機器として機能を発揮するものである。
【００１０】（第４図参照）現在の各リズムデータの指数数値を電子的機械メカニズムを駆動して、運針によりアナログ表示する。誕生以後総日数。体調（Ｐ）の総日数内サイクル数。感情（Ｓ）の総日数内サイクル数。知性（Ｉ）の総日数内サイクル数、をデジタル数字で定められた当該箇所に表示する。
文字盤には、円周線を各リズムデータの指数数値を運針が指し示す目盛りが基点の０から終点の１００までに分割され、任意の単位数で区切られて、印されており、体調リズム（Ｐ）の針は青色針、感情リズム（Ｓ）の針は赤色針、知性リズム（Ｉ）の針は緑色針である。各針が定められた角速度で進行して、各々それぞれのリズムデータ指数数値を指し示す。青色針が指し示すのは、体調のリズムデータであり、赤色針が指し示すのは、感情のリズムデータであり、緑色針が指し示すのは、知性のリズムデータである。また、実施例（第８図参照）の文字盤の構成もある。
リズムデータを指し示す運針は、定められた角速度で進行する。３つのリズムデータを指し示す運針の１日の進行角速度は、次の通りである。
体調リズム（Ｐ）の青色針の進行角速度は、３６０／２３［度／日］（１５．６５２°）。
感情リズム（Ｓ）の赤色針の進行角速度は、３６０／２８［度／日］（１２．８５７°）。
知性リズム（Ｉ）の緑色針の進行角速度は、３６０／３３［度／日］（１０．９０９°）。
である。各針が０基点より１回転して終点＝基点に到達した時点で、該当リズムデータのサイクル数に１サイクルの［１］が加算され、新しい数値に更新される。尚、文字盤は、バイオリズムのリズム状態である高調期の領域、低調安定期の領域、変調期の領域も彩色して、視認しやすい配慮を施すようにする。
【００１１】  アナログ表現画像表示におけるポイント表示、及び、運針によるアナログ表示においても、指数数値に基づく角度の算出と設定、また、指数数値に基づく角速度の進行の制御、運針角速度の進行の制御、基点から終点（終点＝基点）までの一周によるサイクル数の加算、及び、更新は、コンピューターの機能でもって制御、作動するものである。
【００１２】  バイオリズムのリズム状態とリズムデータ指数数値の関係は、次のとおりである。
指数数値６〜４５は、高調期であり、指数数値５６〜９６は、低調安定期であり、指数数値４６〜５５及び、９６〜１００＝０〜５は、１サイクル内に２回ある変調期である。
変調期時には、落ち着いて、注意を怠らず、諸事に対処くださるようにお願い申し上げる次第である。
【００１３】  実施例としては、多種多様なデザイン及び構成が考えられる。（第６図参照）は、家族、及びグループ等、管理目的のバイオリズムクロックの表示パターンの一例である。（第７図参照）は、アナログ表現画像表示の表示デザインの一例である。（第８図参照）は、電子的機械メカニズム駆動の運針によるアナログ表示の文字盤の構成の一例である。
【図面の簡単な説明】
【００１４】
【図１】  リズムデータ  指数化の演算算出順序の図
【図２】  リズムデータ  デジタル表示の図
【図３】  リズムデータ  アナログ表現画像表示の図
【図４】  リズムデータ  電子的機械メカニズム駆動  運針アナログ表示の図
【図５】  リズムデータ  指数数値の関係領域の図
【図６】  実施例  置時計型  リズムデータ  複数個表示の図
【図７】  実施例  リズムデータ  アナログ表現画像表示の図
【図８】  実施例  リズムデータ  電子的機械メカニズム駆動  運針アナログ表示の図
【図９】  バイオリズムのチャート
【符号の説明】
【００１５】  １、  時刻
２、  カレンダー
３、  誕生日以後の総日数
４、  体調の総日数内のサイクル数
５、  感情の総日数内のサイクル数
６、  知性の総日数内のサイクル数
７、  体調の指数化されたリズムデータ
８、  感情の指数化されたリズムデータ
９、  知性の指数化されたリズムデータ
１０、  時計の長針
２０、  時計の短針
１１、  体調のアナログ表現画像のポイント表示
１２、  感情のアナログ表現画像のポイント表示
１３、  知性のアナログ表現画像のポイント表示
１４、  体調のリズムデータのアナログ表示文字盤と運針
１５、  感情のリズムデータのアナログ表示文字盤と運針
１６、  知性のリズムデータのアナログ表示文字盤と運針
１７、  体調のリズムデータのアナログ運針表現画像
１８、  感情のリズムデータのアナログ運針表現画像
１９、  知性のリズムデータのアナログ運針表現画像
２１、  バイオリズムの高調期の領域
２２、  バイオリズムの低調期の領域
２３、  バイオリズムの変調期の領域
２４、  バイオリズムのリズムデータの表示箇所
２５、  バイオリズム該当者の名前
２６、  時計
２７、  体調のリズムデータの青色の運針
２８、  感情のリズムデータの赤色の運針
２９、  知性のリズムデータの緑色の運針
３０、  リズムの曲線
３１、  プラスの領域
３２、  マイナスの領域
【図１】
0005313628.tif 000002
【図２】
0005313628.tif 000003
【図３】
0005313628.tif 000004
【図４】
0005313628.tif 000005
【図５】
0005313628.tif 000006
【図６】
0005313628.tif 000007
【図７】
0005313628.tif 000008
【図８】
0005313628.tif 000009
【図９】
0005313628.tif 000010